(57)【要約】      （修正有）【課題】放送受信機能が実行されている場合において、ユーザーに不都合を生じさせることのないタイミングで着信の通知を行なうことが可能な放送受信機能付き携帯電話機を提供する。【解決手段】放送を受信するテレビ放送受信部１１１と、受信した放送を出力する映像処理部１０４と、メールの着信情報を受信する無線部１０２と、放送出力中にメールの着信情報を通知するための所定の条件が成立しているか否かを監視し、放送出力中にメールの着信情報が受信された時点において、前記所定の条件が成立している場合に、当該時点において前記着信情報を通知し、メールの着信情報が受信された時点において、前記所定の条件が成立していない場合に、前記着信情報を通知せず、その後前記所定の条件が成立した時点において前記着信情報を通知する制御部１１５とを備える。【選択図】図１
2010136412.tif 000002
【特許請求の範囲】
【請求項１】
放送を受信する放送受信手段と、
受信した放送を出力する放送出力手段と、
メールの着信情報を検知する検知手段と、
放送出力中にメールの着信情報を通知するための所定の条件が成立しているか否かを監視する監視手段と、
放送出力中にメールの着信情報が検知された時点において、前記所定の条件が成立している場合に、当該時点において前記着信情報を通知し、
メールの着信情報が検知された時点において、前記所定の条件が成立していない場合には、当該時点において前記着信情報を通知せず、その後前記所定の条件が成立した時点において前記着信情報を通知する通知制御手段と
を備えることを特徴とする携帯電話機。
【請求項２】
前記所定の条件には、
前記放送出力手段が特定の放送番組を出力していること、
前記放送受信手段によって受信されている放送の受信レベルが閾値以下であること、
バッテリーの残量が閾値以下であること、
放送チャネル切替指示の入力があったこと、
放送受信終了指示の入力があったこと、
検知されたメールの着信情報の示すメールの発信元が、特定の相手先からのものであること、
検知されたメールの着信情報のうち、前記通知制御手段によって通知されていないメールの着信情報の数が閾値を超えていること
の何れかが含まれる
ことを特徴とする請求項１記載の携帯電話機。
【請求項３】
前記通知制御手段は、
放送出力中にメールの着信情報が検知された時点において、前記所定の条件が成立している場合に、当該時点において前記着信情報を第１の表示態様で通知し、
メールの着信情報が検知された時点において、前記所定の条件が成立していない場合には、前記着信情報を第２の表示態様で通知し、その後前記所定の条件が成立した時点において前記着信情報を第１の表示態様で通知する
ことを特徴とする請求項１記載の携帯電話機。
【発明の詳細な説明】
【技術分野】
【０００１】
本発明は、放送受信機能付き携帯電話機に関し、特に放送受信中におけるメール着信通知を制御するための技術に関する。
【背景技術】
【０００２】
近年、携帯電話機の急速な多機能化が進み、放送受信機能、カメラ機能、ゲーム機能など携帯電話機以外の種々の付属機能を有する携帯電話機が利用できるようになってきた。
【０００３】
このような携帯電話機の多機能化の進展に伴い、ユーザーが携帯電話機を用いて、上記付属機能を利用する機会が増加している。
【０００４】
従って、当該付属機能の利用中に、外部からメール等の着信があり、携帯電話機本来の機能に基づく処理が要求される場合に、ユーザーに対し、不都合を与えないように、上記処理を行なう必要がある。
【０００５】
特許文献１には、ゲームを行なっている最中に電話やメールの着信などの割込み事象が発生した場合に、ユーザーの意向に添った報知態様による着信の報知を行なうことが可能な携帯端末に関する技術が開示されている。これにより、ユーザーは、意に反する態様で実行中のゲームを中断されること無く、着信のあったことを知ることができる。
【先行技術文献】
【特許文献】
【０００６】
【特許文献１】特開２００３−３１９０２０号公報
【発明の概要】
【発明が解決しようとする課題】
【０００７】
しかしながら、上記の従来技術は、ゲームのようなアプリケーションソフトウェアの起
動状態に応じた報知態様を選択して着信の報知を行なう技術であるため、放送受信機能が実行され、受信した放送を出力しているような場合に、そのまま適用することができず、放送出力中に特有な対応が必要となる。
【０００８】
そこで、上記課題を解決するために、本発明は、放送受信機能が実行されている場合において、ユーザーに不都合を生じさせることのないタイミングで着信の通知を行なうことが可能な放送受信機能付き携帯電話機を提供することを目的とする。
【課題を解決するための手段】
【０００９】
上記課題を解決するために、本発明は、放送を受信する放送受信手段と、受信した放送を出力する放送出力手段と、メールの着信情報を検知する検知手段と、放送出力中にメールの着信情報を通知するための所定の条件が成立しているか否かを監視する監視手段と、放送出力中にメールの着信情報が検知された時点において、前記所定の条件が成立している場合に、当該時点において前記着信情報を通知し、メールの着信情報が検知された時点において、前記所定の条件が成立していない場合には、当該時点において前記着信情報を通知せず、その後前記所定の条件が成立した時点において前記着信情報を通知する通知制御手段とを備える。
【発明の効果】
【００１０】
本発明は、上記構成を備えることにより、放送を出力中にメールの着信情報が検知された場合に、検知された時点において所定の条件が成立しているか否かにより、メール着信情報の通知時期を制御することができるので、放送出力中にメール着信情報が通知されてもよい条件や放送出力中であってもメール着信情報を通知すべき条件を所定の条件として携帯電話機に設定しておくことにより、ユーザーに不都合を生じさせることのない通知時期に着信の通知を行なうことができる。
【００１１】
ここで、前記所定の条件には、前記放送出力手段が特定の放送番組を出力していること、前記放送受信手段によって受信されている放送の受信レベルが閾値以下であること、バッテリーの残量が閾値以下であること、放送チャネル切替指示の入力があったこと、放送受信終了指示の入力があったこと、検知されたメールの着信情報の示すメールの発信元が、特定の相手先からのものであること、検知されたメールの着信情報のうち、前記通知制御手段によって通知されていないメールの着信情報の数が閾値を超えていることの何れかが含まれることとしてもよい。
【００１２】
これにより、以下に示す種々の効果が得られる。
（１）ユーザーにとって重要でない特定の放送番組、例えば、ＣＭ放送番組が出力されている時点において、メールの着信情報を通知することができるので、ユーザーは、自分のお気に入りの放送番組を視聴している途中でメール着信情報が通知されて、視聴を妨げられることなく、お気に入りの放送番組の視聴を楽しむことができる。
（２）放送番組の視聴途中で、受信状態が悪くなり、視聴困難な状態になった時点において、検知されたメールの着信情報を通知することができるので、ユーザーに、視聴を途中で途中で妨げられたという不快感を感じさせること無く、メール着信情報を通知することができる。
（３）バッテリーが少なくなったことが検出されると、放送出力中であってもその時点においてメールの着信情報を通知することができるので、テレビの視聴が長時間継続されたために、その間に着信したメールの着信情報をユーザーに知らせることなく、バッテリーが切れてしまうという不都合をユーザーに与えることを有効に防止することができる。
（４）放送切替指示や終了指示が入力されると、そのことを検出してメールの着信情報を通知することができるので、ユーザーが視聴している放送番組の視聴意思がなくなった、ユーザーにとって視聴を妨げられても支障のないタイミングでメールの着信情報を通知することができる。
（５）メールの発信元が特定の相手先の場合には、放送出力中であっても当該メールの着信情報が着信した時点において、そのメール着信情報を通知することができるので、テレビの視聴が長時間継続されたために、ユーザーにとって重要な相手先からのメールの着信があったことの通知の時期が遅れるという不都合をユーザーに与えることを有効に防止することができる。
（６）未通知の状態のメールの着信情報の数が限界値を超えると、その時点において、未通知の状態のメールの着信情報を通知することができるので、テレビの視聴が長時間継続されたために、大量のメールが着信したにもかかわらずメールの着信情報が未通知のまま放置されるという不都合をユーザーに与えることを有効に防止することができる。
【００１３】
ここで、＜請求項３＞の構成とすることができる。
【００１４】
これにより、放送を出力中にメールの着信情報が検知された場合に、検知された時点において所定の条件が成立しているか否かにより、メール着信情報の通知方法を制御することができるので、ユーザーのお気に入りの放送番組が出力されているような場合に、メール着信情報の着信があった場合には、視聴の妨げとならないような表示態様（例えば、着信があったことだけを示す小さいアイコンの表示）で通知し、それ以外の放送番組が出力されているような場合にメッセージの詳しい内容を示す表示態様で通知するというように、メールの着信があった場合にそのことを、ユーザーに不都合を生じさせない表示態様で通知することができる。
【図面の簡単な説明】
【００１５】
【図１】本発明の実施の形態１における携帯電話機１００の構成を示す機能ブロック図である。
【図２】特定相手先リストの具体例を示す。
【図３】制御部１１５の行なう着信メール通知制御処理の動作を示すフローチャートである。
【図４】メール着信情報の表示部１０５における表示例を示す。
【図５】本発明の実施の形態２における携帯電話機２００の構成を示す機能ブロック図である。
【図６】制御部２１５の行なう着信メール通知制御処理の動作を示すフローチャートである。
【図７】表示データＡ及びＢに基づく表示の具体例を示す。
【図８】制御部１１５の行なうメール着信情報の通知方法の切替制御処理の動作を示すフローチャートである。
【図９】制御部２１５の行なう上記メール着信情報の通知方法の切替制御処理の動作を示すフローチャートの一部である。
【図１０】制御部２１５の行なう上記メール着信情報の通知方法の切替制御処理の動作を示すフローチャートの一部である。
【発明を実施するための形態】
【００１６】
（実施の形態１）
＜構成＞
図１は、本発明の実施の形態１における携帯電話機１００の構成を示す機能ブロック図である。携帯電話機１００は、図１に示す通り、アンテナ１０１、無線部１０２、操作部１０３、映像処理部１０４、表示部１０５、制御部１１５、メモリ１０６、音声処理部１０７、マイク１０８、スピーカー１０９、放送受信用アンテナ１１０、テレビ放送受信部１１１、電界強度測定部１１２、バッテリー残量測定部１１３、バッテリー１１４から構成される。
【００１７】
無線部１０２は、アンテナ１０１を介して、基地局（図外）から送信された位置情報、メール着信情報、音声信号、文字データ、画像データを含む通信信号を受信し、復調処理して、制御部１１５に出力し、制御部１１５より入力される制御データや音声データ、文字データ、画像データなどの各種データを変調処理し、アンテナ１０１を介して基地局に送信する。
【００１８】
ここで、「位置情報」とは、第二世代コードレス電話システム標準規格ＲＣＲ−ＳＴＤ−２８（ＲＥＳＥＡＲＣＨＡＮＤ ＤＥＶＥＬＯＰＭＥＮＴ ＲＡＤＩＯ ＳＹＳＴＥＭ 
ＳＴＡＮＤＡＲＤ−２８）に規定された報知メッセージのことをいい、位置情報には、送信元の基地局を識別する基地局識別子、当該基地局が属する呼出エリアを識別するためのエリア番号などが含まれている。
【００１９】
又、「メール着信情報」とは、携帯電話機１００のメールアドレスが登録されているメールサーバに外部の端末から当該メールアドレス宛の電子メールが送信された場合に、当該メールサーバから基地局を介して携帯電話機１００に送信される、当該電子メールのヘッダ部分に記述されている、当該電子メールの受信日時、発信元及び発信先のメールアドレス、メールのタイトル、メールの送信経路情報等を含む情報のことをいう。
【００２０】
操作部１０３は、各種のユーザー指示を入力するための、選択キーや０番〜９番までの番号キーなどの各種キーを含み、各種キーを介してユーザーからの各種指示を受取り、制御部１１５に出力する。例えば、ユーザーから後述するテレビ放送受信を開始させるための放送受信指示、受信する放送のチャネルを切り替えるための放送受信チャネル切替指示、テレビ放送の受信を終了させるための放送受信終了指示などの各種指示を受取り、制御部１１５に出力する。
【００２１】
映像処理部１０４は、制御部１１５より入力された文字データや画像データなどの映像データをデコードして、映像アナログ信号に変換して表示部１０５に出力する。
【００２２】
表示部１０５は、映像処理部１０４より入力された映像アナログ信号に基づいて、文字メッセージや画像を表示する。
【００２３】
具体的には、テレビ放送番組を構成する映像データやメール着信情報を構成する文字データに基づいて映像や文字メッセージを表示する。
【００２４】
メモリ１０６は、放送受信レベル及びバッテリー残量の各閾値、着信メール未通知許容数、特定相手先リスト、位置情報などを記憶している。
【００２５】
ここで、「放送受信レベル」及び「バッテリー残量」の各閾値とは、後述する着信メール通知制御処理において、メール着信情報を通知する否かを判定するための判定基準となる放送受信レベル及びバッテリー残量のそれぞれの閾値のことをいう。
【００２６】
又、「着信メール未通知許容数」とは、後述する着信メール通知制御処理において、メール着信情報を通知するか否かの判定基準となる、メール着信情報を未通知の状態にすることが許容される最大の着信メール数のことをいう。
【００２７】
又、「特定相手先リスト」とは、後述する着信メール通知制御処理において、放送番組の受信中に当該相手先からのメールの着信があった場合に、メール着信情報を通知する対
象となる相手先名と当該相手先の所有する通信端末のメールアドレスとの対応関係を示すリストのことをいう。
【００２８】
図２は、特定相手先リストの具体例を示す。
【００２９】
音声処理部１０７は、テレビ放送受信部１１１より入力された音声信号を、Ｄ／Ａ変換してスピーカー１０９に出力し、マイク１０８から入力された音声信号をＡ／Ｄ変換して制御部１１５に出力する。
【００３０】
又、音声処理部１０７は、制御部１１５から入力された音声データをＤ／Ａ変換してスピーカー１０９に出力する。
【００３１】
テレビ放送受信部１１１は、制御部１１５から指示された受信周波数の放送波を、放送受信用アンテナ１１０を介して受信し、電界強度測定部１１２及び制御部１１５に出力する。
【００３２】
電界強度測定部１１２は、テレビ放送受信部１１１から入力された放送波の電界強度を測定し、測定結果を制御部１１５に出力する。
【００３３】
バッテリー残量測定部１１３は、バッテリー１１３の電源電圧を測定し、測定結果を制御部１１５に通知する。
【００３４】
制御部１１５は、マイクロプロセッサとＲＯＭ（Read Only Memory）及びＲＡＭ（Random Access Memory）、などから構成され、ＲＯＭに格納されている制御プログラムに従って、携帯電話機１００の全体の制御を行なう。
【００３５】
又、制御部１１５は、ＲＯＭに格納されている着信メール通知制御プログラムに従って、後述する着信メール通知制御処理を行なう。
【００３６】
さらに、制御部１１５は、テレビ放送受信部１１１より入力された放送波から映像データと音声データを分離し、映像データを映像処理部１０４に、音声データを音声処理部１０７に出力し、さらに、無線部１０２より入力された、文字データや画像データなどの映像データを映像処理部１０４に、音声データを音声処理部１０７に出力する。
【００３７】
又、制御部１１５は、分離した上記音声データから多重制御信号を検出し、検出した信号の周波数に基づいて、放送波がステレオ放送であるか否かを判定し、当該判定結果に基づいて受信中の放送番組がＣＭ放送番組であるか否かを判定する。具体的には、ステレオ放送であると判定した場合に、受信中の放送番組がＣＭ放送番組であると判定する。
【００３８】
又、制御部１１５は、電界強度測定部１１２によって測定された放送波の電界強度の測定結果に基づいて、受信中の放送の受信レベルが閾値以下であるか否かを判定する。
【００３９】
さらに、制御部１１５は、バッテリー残量測定部１１３によって測定されたバッテリー１１３の電源電圧の測定結果に基づいて、バッテリー残量が閾値以下であるか否かを判定する。
＜動作＞
（着信メール通知制御処理）
図３は、制御部１１５の行なう着信メール通知制御処理の動作を示すフローチャートである。以下、図３を参照して上記動作について説明する。
【００４０】
制御部１１５は、操作部１０３を介して、ユーザーから放送受信指示を受取ると（ステップＳ３０１）、テレビ放送受信部１１１に放送受信を開始させ、受信した放送波の映像処理部１０４及び音声処理部１０７への出力を開始し（ステップＳ３０２）、無線部１０２よりメール着信情報の着信があったか否かを判定する（ステップＳ３０３）。
【００４１】
制御部１１５は、メール着信情報の着信があった場合に（ステップＳ３０３：Ｙ）、受信中の放送波から検出した多重制御信号の周波数に基づいて、受信中の放送番組がＣＭ放
送番組であるか否かを判定する（ステップＳ３０４）。
【００４２】
制御部１１５は、受信中の放送番組がＣＭ放送番組である場合に（ステップＳ３０４：Ｙ）、入力されたメール着信情報を映像処理部１０４に出力し、表示部１０５にメール着信情報を表示させることにより、メール着信情報を通知する（ステップＳ３１３）。
【００４３】
ここで、表示部１０５におけるメール着信情報の表示態様は、全画面表示であってもよいし、画面の一部に表示させることとしてもよい。
【００４４】
図４は、メール着信情報の表示部１０５における表示例を示す。
【００４５】
又、制御部１１５は、ステップＳ３０４において、受信中の放送番組がＣＭ放送番組でない場合に（ステップＳ３０４：Ｎ）、電界強度測定部１１２より入力される放送波の電界強度の測定結果に基づいて、受信中の放送の受信レベルがメモリ１０６に記憶されている閾値以下であるか否かを判定する（ステップＳ３０５）。
【００４６】
制御部１１５は、受信中の放送の受信レベルがメモリ１０６に記憶されている閾値以下である場合（ステップＳ３０５：Ｙ）、ステップＳ３１３の処理に移行し、閾値以下でない場合（ステップＳ３０５：Ｎ）、さらに、操作部１０３を介して放送受信チャネル切替指示の入力が有ったか否かを判定する（ステップＳ３０６）。
【００４７】
制御部１１５は、放送受信チャネル切替指示の入力が有った場合（ステップＳ３０６：Ｙ）、入力されたメール着信情報を映像処理部１０４に出力し、表示部１０５にメール着信情報を表示させることにより、メール着信情報を通知し（ステップＳ３１２）、ステップＳ３０２の処理に移行し、入力が無かった場合（ステップＳ３０６：Ｎ）、さらに、操作部１０３を介して放送受信終了指示の入力があったか否かを判定する（ステップＳ３０７）。
【００４８】
制御部１１５は、放送受信終了指示の入力が有った場合（ステップＳ３０７：Ｙ）、ステップＳ３１３の処理に移行し、入力が無かった場合（ステップＳ３０７：Ｎ）、さらに、バッテリー残量測定部１１３によって測定されたバッテリー１１３の電源電圧の測定結果に基づいて、バッテリー残量が閾値以下であるか否かを判定する（ステップＳ３０８）。
【００４９】
制御部１１５は、バッテリー残量がメモリ１０６に記憶されている閾値以下である場合（ステップＳ３０８：Ｙ）、ステップＳ３１３の処理に移行し、閾値以下でない場合（ステップＳ３０８：Ｎ）、さらに、入力されたメール着信情報に基いて、メールの発信元のメールアドレスを特定し、特定したメールアドレスと一致するメールアドレスがメモリ１０６に記憶されている特定相手先リストに含まれているか否かにより、メール着信情報の示す発信元が特定の相手先か否かを判定する（ステップＳ３０９）。
【００５０】
制御部１１５は、特定したメールアドレスと一致するメールアドレスがメモリ１０６に記憶されている特定相手先リストに含まれている場合、メール着信情報の示す発信元が特定の相手先であると判定し（ステップＳ３０９：Ｙ）、ステップＳ３１３の処理に移行し、特定したメールアドレスと一致するメールアドレスがメモリ１０６に記憶されている特定相手先リストに含まれていない場合、メール着信情報の示す発信元が特定の相手先でないと判定し（ステップＳ３０９：Ｎ）、さらに、メール着信情報が未通知のメールの数がメモリ１０６に記憶されている未通知許容数超えるか否かを判定する（ステップＳ３１０）。
【００５１】
制御部１１５は、メール着信情報が未通知のメールの数がメモリ１０６に記憶されている未通知許容数超える場合（ステップＳ３１０：Ｙ）、ステップＳ３１３の処理に移行し、超えない場合（ステップＳ３１０：Ｎ）、入力されたメール着信情報を保持し（ステッ
プＳ３１１）、ステップＳ３０３の処理に移行する。
【００５２】
制御部１１５は、ステップ３０３において、メール着信情報の着信がない場合（ステップＳ３０３：Ｎ）、保持中のメール着信情報が有るか否かを判定し（ステップＳ３１４）、有る場合（ステップＳ３１４：Ｙ）、ステップＳ３０４の処理に移行し、無い場合（ステップＳ３１４：Ｎ）、ステップＳ３０３の処理に移行する。
【００５３】
（実施の形態２）
実施の形態１では、放送受信中にメール着信情報の着信があった場合に、受信中の放送番組がＣＭ放送番組であるか否かを判定し、ＣＭ放送番組である場合に、メール着信情報を表示部１０５に即時に表示させることとしたが、本実施の形態においては、受信中の放送番組がユーザーのお気に入りの放送番組であるか否かを判定し、お気に入りの放送番組でない場合に、即時にメール着信情報を表示部１０５に表示させる点において、実施の形態１と相違する。
【００５４】
以下、相違点を中心にして説明する。
【００５５】
図５は、本発明の実施の形態２における携帯電話機２００の構成を示す機能ブロック図である。携帯電話機１００は、図１に示す通り、アンテナ１０１、無線部１０２、操作部１０３、映像処理部１０４、表示部１０５、制御部２１５、メモリ２０６、音声処理部１０７、マイク１０８、スピーカー１０９、放送受信用アンテナ１１０、テレビ放送受信部１１１、電界強度測定部１１２、バッテリー残量測定部１１３、バッテリー１１４から構成される。
【００５６】
実施の形態１における携帯電話機１００の構成要素と同一の構成要素については同一の番号を付している。
【００５７】
メモリ２０６は、メモリ１０６の記憶している放送受信レベル及びバッテリー残量の各閾値、着信メール未通知許容数、特定相手先リスト、位置情報に加え、放送番組検索サーバのアドレス、お気に入り放送番組リストを記憶している。
【００５８】
ここで、「放送番組検索サーバ」とは、所定期間内に放送される各放送番組の属性（例えば、放送番組の属するジャンル、放送番組に登場するアーティスト名など）、番組名、放送時間帯、当該放送番組を放送する放送局の周波数などから構成される番組情報を記憶しているデータベースに接続され、携帯電話機１００を介して送信される受信周波数及び現在時刻に応じて、当該受信周波数と現在時刻に該当する放送番組名をデータベースから検索し、検索した放送番組名を携帯電話機２００に送信するサーバのことをいい、放送番組検索サーバと、携帯電話機２００とは、電機通信回線で接続されている。
【００５９】
又、「お気に入り放送番組リスト」とは、予めユーザーによって登録された、ユーザーお気に入りの放送番組名のリストのことをいう。
【００６０】
制御部２１５は、時刻計測部２０５１を備え、その他制御部２１５の有する機能は、着信メール通知制御処理の動作において、制御部１１５の有する機能と相違する。
【００６１】
時刻計測部２０５１は、時刻を計測し、制御部２１５に通知する。
【００６２】
図６は、制御部２１５の行なう着信メール通知制御処理の動作を示すフローチャートである。図６において、制御部１１５の行なう処理と同一の処理に対しては、図３において使用しているステップ番号と同一のステップ番号を付している。
【００６３】
以下、図６を参照して上記動作の相違点について説明する。
【００６４】
制御部２１５は、ステップＳ３０３において、メール着信情報の着信があった場合（ステップＳ３０３：Ｙ）、メモリ２０６に記憶されている放送番組検索サーバのアドレスを読出し、当該アドレスの放送番組検索サーバに無線部１０２を介して接続し、時刻計測部
２０５１より、現在時刻を取得し、取得した現在時刻と出力中の放送の受信周波数とを放送番組検索サーバに通知し、該当する放送番組名の検索を依頼し（ステップＳ６０１）、依頼に応じて放送番組検索サーバから送信される検索結果に基づいて該当する放送番組名を特定し（ステップＳ６０２）、特定した放送番組名がメモリ２０６に記憶されているお気に入り放送番組リストに含まれているか否かを判定する（ステップＳ６０３）。
【００６５】
制御部２１５は、特定した放送番組名がメモリ２０６に記憶されているお気に入り放送番組リストに含まれていない場合（ステップＳ６０３：Ｎ）、ステップＳ３１３の処理に移行し、含まれている場合（ステップＳ６０３：Ｙ）、ステップＳ３０５の処理に移行する。
【００６６】
図６のステップＳ３０１〜ステップＳ３０３及びステップＳ３０５〜ステップＳ３１４の処理については、実施の形態１において、説明済みであるので、説明を省略する。
＜補足＞
以上、本発明に係る携帯電話機１００及び２００について、実施の形態に基づいて説明したが、本発明はこれら実施の形態に限られないことは勿論である。（１）例えば、本実施の形態１及び２においては、図３及び図６に示す着信メール通知制御処理においては、所定の条件を満たす場合に、メール着信情報を通知し、満たさない場合にメール着信情報を通知しないこととしたが、所定の条件を満たすか、満たさないかによって、メール着信情報の通知の方法を切り替えることとしてもよい。
【００６７】
メモリ１０６及び２０６にそれぞれ２種類のメール着信を示す表示用データと表示未通知許容数を予め記憶しておき、所定の条件を満たす場合には、表示データＡに基づく表示（例えば、メールタイトル及び発信元を示す文字メッセージ）を表示部の画面全体又は一部に表示させ、所定の条件を満たさない場合には、表示データＢに基づく表示（例えば、メールのアイコン画像）を表示部の角に小さく表示させることとしてもよい。
【００６８】
ここで、「表示未通知許容数」とは、上記メール着信情報の通知方法の切替制御処理において、メール着信情報を表示データＡに基づく表示により通知するか否かの判定基準となる、メール着信情報を表示データＡに基づく表示で未通知の状態にすることが許容される最大の着信メール数のことをいう。
【００６９】
上記の場合における表示の具体例を図７に示す。図７（ｂ）は、表示データＡに基づく表示の具体例（ここでは、表示データＡ及びメール着信情報の示すメールタイトル及びメールアドレスの合成表示例）を示し、図７（ａ）は、表示データＢに基づく表示の具体例を示す。
【００７０】
図８は、制御部１１５の行なう上記メール着信情報の通知方法の切替制御処理の動作を示すフローチャートであり、図９及び図１０は、制御部２１５の行なう上記メール着信情報の通知方法の切替制御処理の動作を示すフローチャートである。
【００７１】
図３及び図６において、制御部１１５及び制御部２１５の行なう着信メール通知制御処理と同一の処理に対しては、図８、図９及び図１０においても、同一のステップ番号を付している。
【００７２】
以下、図８、図９及び図１０を参照して上記動作の相違点について説明する。
【００７３】
制御部１１５及び２０５は、それぞれ、図８及び図９のステップＳ３０６における判定結果が肯定的である場合に（ステップＳ３０６：Ｙ）、メモリ１０６及び２０６からそれぞれ、表示データＡを読み出して、表示データＡと取得した又は保持中のメール着信情報とに基づいて、合成表示データを生成して映像処理部１０４に出力し、携帯電話機１００及び２００の各表示部１０５に合成表示データに基づく表示をさせることにより、メール着信情報の通知をする（ステップＳ８０３）。
【００７４】
又、制御部１１５及び２０５は、それぞれ、図８及び図１０のステップＳ３０９における判定結果が否定的である場合に（ステップＳ３０９：Ｎ）、生成した合成表示データに基づく表示で未通知のメール着信情報の数が表示未通知許容数を超えるか否かを判定し（図８及び図１０のステップＳ８０１）、超えない場合（図８及び図１０のステップＳ８０１：Ｎ）、メモリ１０６及び２０６からそれぞれ、表示データＢを読み出して、映像処理部１０４に出力し、表示データＢを携帯電話機１００及び２００の各表示部１０５に表示データＢに基づく表示をさせることにより、メール着信情報の通知をし（図８及び図１０のステップＳ８０２）、ステップＳ３１２の処理に移行する。
【００７５】
又、制御部１１５及び２０５は、それぞれ、図８、図９及び図１０のステップＳ３０４、３０５、３０７〜３０９、及びステップＳ８０１の何れかの判定結果が肯定的である場合に、メモリ１０６及び２０６からそれぞれ、表示データＡを読み出して、表示データＡと取得した又は保持中のメール着信情報とに基づいて、合成表示データを生成して映像処理部１０４に出力し、携帯電話機１００及び２００の各表示部１０５に合成表示データに基づく表示をさせることにより、メール着信情報の通知をする（ステップＳ８０４）。
【００７６】
ステップＳ３０１〜Ｓ３０９、及びステップＳ３１１及びステップＳ３１４の処理については、実施の形態１において、説明済みであるので、説明を省略する。
（２）又、本実施の形態１及び２において、受信する放送は、デジタル放送であってもアナログ放送であってもよい。デジタル放送の場合には、例えば、送信される放送番組がＣＭ放送番組である場合には、実施の形態１において、送信されるデジタル放送信号にＣＭ識別コードを付加しておくことにより、受信側でＣＭ識別コードが検出されるか否かにより、制御部１１５は、実施の形態１の図３のステップＳ３０４の判定を行なうことができる。又、実施の形態２において、デジタル放送信号から電子番組表を送信する信号を抽出し、当該電子番組表に基づいて、制御部２１５は、図６のステップＳ６０２の処理を実行することができる。
（３）又、本実施の形態１及び２においては、携帯電話機１００及び２００は、テレビ放送について、メール着信情報通知制御処理を行なうとしたが、ラジオ放送についてもそれぞれ同様の処理を行なうこととしてもよい。
【産業上の利用可能性】
【００７７】
放送受信機能付き携帯電話機において、放送受信中におけるメール着信通知を制御するための技術として利用できる。
【符号の説明】
【００７８】
１００、２００  携帯電話機
１０１    アンテナ
１０２    無線部
１０３    操作部
１０４    映像処理部
１０５    表示部
１０６、２０６  メモリ
１０７    音声処理部
１０８    マイク
１０９    スピーカ
１１０    放送受信用アンテナ
１１１    テレビ放送受信部
１１２    電界強度測定部
１１３    バッテリー残量測定部
１１４    バッテリー
１１５、２１５  制御部
【図１】
2010136412.tif 000003
【図２】
2010136412.tif 000004
【図３】
2010136412.tif 000005
【図４】
2010136412.tif 000006
【図５】
2010136412.tif 000007
【図６】
2010136412.tif 000008
【図７】
2010136412.tif 000009
【図８】
2010136412.tif 000010
【図９】
2010136412.tif 000011
【図１０】
2010136412.tif 000012
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
映像データを受信する受信手段と、
受信した映像データを出力する映像出力手段と、
メールの着信を検知する着信検知手段と、
前記映像出力手段による映像データの出力中に、出力する映像データを切り替えるための操作を検知する操作検知手段と、
前記映像出力手段による映像データの出力中にメールの着信が検知された場合において、当該検知以後、出力する映像データを切り替える操作があったときは、着信したメールがあることを通知する通知制御手段と、
を備えることを特徴とする携帯電話機。
【請求項２】
メールの着信を検知した際に、着信したメールの発信元が特定の発信元であるか否かを判定する判定手段と、を更に備え、
前記通知制御手段は、映像データを出力中にメールの着信が検知された場合に出力する映像データを切り替える操作が無いときは、着信したメールの発信元が特定の人であるときに着信したメールがあることを通知すること、
を特徴とする請求項１に記載の携帯電話機。
【請求項３】
前記操作検知手段は、更に、映像データの出力を終了させるための操作を検知し、
前記通知制御手段は、映像データを出力中にメールの着信が検知された場合において、当該検知以後、出力する映像データを切り替える操作がなく、映像データの出力を終了させるための操作があった場合に、着信したメールがあることを通知する、
ことを特徴とする請求項１に記載の携帯電話機。
【請求項４】
映像データを受信する受信手段と、
受信した映像データを出力する映像出力手段と、
メールの着信を検知する着信検知手段と、
前記映像出力手段による映像データの出力中に、出力する映像データを切り替えるための操作を検知する操作検知手段と、
映像データを出力中にメールの着信が検知された際に、出力する映像データの切り替える操作が無い場合は、第１の様態にて着信したメールがあることを通知し、前記第１の様態にて通知した後に、出力する映像データを切り替える操作があった場合は着信したメールがあることを第２の様態にて通知する通知制御手段と、
を備えたことを特徴とする携帯電話機。
【手続補正２】
【補正対象書類名】明細書
【補正対象項目名】０００９
【補正方法】変更
【補正の内容】
【０００９】
上記課題を解決するために、本発明は、映像データを受信する受信手段と、受信した映像データを出力する映像出力手段と、メールの着信を検知する着信検知手段と、前記映像出力手段による映像データの出力中に、出力する映像データを切り替えるための操作を検知する操作検知手段と、前記映像出力手段による映像データの出力中にメールの着信が検知された場合において、当該検知以後、出力する映像データを切り替える操作があったときは、着信したメールがあることを通知する通知制御手段とを備える。
【手続補正３】
【補正対象書類名】明細書
【補正対象項目名】００１０
【補正方法】変更
【補正の内容】
【００１０】
本発明は、上記構成を備えることにより、ユーザーに不都合を生じさせることのない通知時期に着信の通知を行うことができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００７６
【補正方法】変更
【補正の内容】
【００７６】
ステップＳ３０１〜Ｓ３０９、及びステップＳ３１１及びステップＳ３１４の処理については、実施の形態１において、説明済みであるので、説明を省略する。
（２）又、本実施の形態１及び２において、受信する放送は、デジタル放送であってもアナログ放送であってもよい。デジタル放送の場合には、例えば、送信される放送番組がＣＭ放送番組である場合には、実施の形態１において、送信されるデジタル放送信号にＣＭ識別コードを付加しておくことにより、受信側でＣＭ識別コードが検出されるか否かにより、制御部１１５は、実施の形態１の図３のステップＳ３０４の判定を行なうことがで
きる。又、実施の形態２において、デジタル放送信号から電子番組表を送信する信号を抽
出し、当該電子番組表に基づいて、制御部２１５は、図６のステップＳ６０２の処理を
実行することができる。
（３）又、本実施の形態１及び２においては、携帯電話機１００及び２００は、テレビ放送について、メール着信情報通知制御処理を行なうとしたが、ラジオ放送についてもそれぞれ同様の処理を行なうこととしてもよい。
本実施の形態の総まとめとして、本発明は、放送を受信する放送受信手段と、受信した放送を出力する放送出力手段と、メールの着信情報を検知する検知手段と、放送出力中にメールの着信情報を通知するための所定の条件が成立しているか否かを監視する監視手段と、放送出力中にメールの着信情報が検知された時点において、前記所定の条件が成立している場合に、当該時点において前記着信情報を通知し、メールの着信情報が検知された時点において、前記所定の条件が成立していない場合には、当該時点において前記着信情報を通知せず、その後前記所定の条件が成立した時点において前記着信情報を通知する通知制御手段とを備える。
本発明は、上記構成を備えることにより、放送を出力中にメールの着信情報が検知された場合に、検知された時点において所定の条件が成立しているか否かにより、メール着信情報の通知時期を制御することができるので、放送出力中にメール着信情報が通知されてもよい条件や放送出力中であってもメール着信情報を通知すべき条件を所定の条件として携帯電話機に設定しておくことにより、ユーザーに不都合を生じさせることのない通知時期に着信の通知を行なうことができる。
ここで、前記所定の条件には、前記放送出力手段が特定の放送番組を出力していること、前記放送受信手段によって受信されている放送の受信レベルが閾値以下であること、バッテリーの残量が閾値以下であること、放送チャネル切替指示の入力があったこと、放送受信終了指示の入力があったこと、検知されたメールの着信情報の示すメールの発信元が、特定の相手先からのものであること、検知されたメールの着信情報のうち、前記通知制御手段によって通知されていないメールの着信情報の数が閾値を超えていることの何れかが含まれる
こととしてもよい。
これにより、以下に示す種々の効果が得られる。
ユーザーにとって重要でない特定の放送番組、例えば、ＣＭ放送番組が出力されている時点において、メールの着信情報を通知することができるので、ユーザーは、自分のお気に入りの放送番組を視聴している途中でメール着信情報が通知されて、視聴を妨げられることなく、お気に入りの放送番組の視聴を楽しむことができる。
放送番組の視聴途中で、受信状態が悪くなり、視聴困難な状態になった時点において、検知されたメールの着信情報を通知することができるので、ユーザーに、視聴を途中で途中で妨げられたという不快感を感じさせること無く、メール着信情報を通知することができる。
バッテリーが少なくなったことが検出されると、放送出力中であってもその時点においてメールの着信情報を通知することができるので、テレビの視聴が長時間継続されたために、その間に着信したメールの着信情報をユーザーに知らせることなく、バッテリーが切れてしまうという不都合をユーザーに与えることを有効に防止することができる。
放送切替指示や終了指示が入力されると、そのことを検出してメールの着信情報を通知することができるので、ユーザーが視聴している放送番組の視聴意思がなくなった、ユーザーにとって視聴を妨げられても支障のないタイミングでメールの着信情報を通知することができる。
メールの発信元が特定の相手先の場合には、放送出力中であっても当該メールの着信情報が着信した時点において、そのメール着信情報を通知することができるので、テレビの視聴が長時間継続されたために、ユーザーにとって重要な相手先からのメールの着信があったことの通知の時期が遅れるという不都合をユーザーに与えることを有効に防止することができる。
未通知の状態のメールの着信情報の数が限界値を超えると、その時点において、未通知の
状態のメールの着信情報を通知することができるので、テレビの視聴が長時間継続されたために、大量のメールが着信したにもかかわらずメールの着信情報が未通知のまま放置されるという不都合をユーザーに与えることを有効に防止することができる。
ここで、前記通知制御手段は、放送出力中にメールの着信情報が検知された時点において、前記所定の条件が成立している場合に、当該時点において前記着信情報を第１の表示態様で通知し、メールの着信情報が検知された時点において、前記所定の条件が成立していない場合には、前記着信情報を第２の表示態様で通知し、その後前記所定の条件が成立した時点において前記着信情報を第１の表示態様で通知することとすることができる。
これにより、放送を出力中にメールの着信情報が検知された場合に、検知された時点において所定の条件が成立しているか否かにより、メール着信情報の通知方法を制御することができるので、ユーザーのお気に入りの放送番組が出力されているような場合に、メール着信情報の着信があった場合には、視聴の妨げとならないような表示態様（例えば、着信があったことだけを示す小さいアイコンの表示）で通知し、それ以外の放送番組が出力されているような場合にメッセージの詳しい内容を示す表示態様で通知するというように、メールの着信があった場合にそのことを、ユーザーに不都合を生じさせない表示態様で通知することができる。